(57)【要約】【課題】保存された画像データをユーザに利用し易くできるファクシミリ装置を提供すること。【解決手段】ＣＰＵ１２は、ＦＡＸ通信部１８を制御して、画像データ１５３を送信する処理（Ｓ１７）と、送信した画像データ１５３の少なくとも一部を保存する処理（Ｓ１５，Ｓ３１）と、画像データ１５３の少なくとも一部を保存した保存先を示す情報である保存先情報を含むバーコード２０１を生成する処理（Ｓ４１）と、生成したバーコード２０１を出力する処理（Ｓ４７）と、を実行する。【選択図】図４
2018160727.tif 000002
【特許請求の範囲】
【請求項１】
シートの画像を読み取って画像データを生成する画像読取部と、
前記画像データを外部機器に送信する送信部と、
制御装置と、を備え、
前記制御装置は、
前記送信部を制御して、前記画像データを送信する処理と、
送信した前記画像データの少なくとも一部を保存する処理と、
前記画像データの少なくとも一部を保存した保存先を示す情報である保存先情報を含む識別コードを生成する処理と、
生成した前記識別コードを出力する処理と、
を実行する、ファクシミリ装置。
【請求項２】
印刷部を、さらに備え、
前記制御装置は、前記識別コードの出力処理として、前記印刷部を制御して、前記識別コードを印刷した送信結果レポートを生成する、請求項１に記載のファクシミリ装置。
【請求項３】
前記制御装置は、
前記画像読取部を制御して、前記送信結果レポートの画像を読み取って第二画像データを生成する処理と、
前記第二画像データから前記識別コードを検出する処理と、
検出した前記識別コードに基づいて、前記保存先情報の示す保存先から前記画像データの少なくとも一部を取得する処理と、
取得した前記画像データを出力する処理と、
を実行する、請求項２に記載のファクシミリ装置。
【請求項４】
前記制御装置は、前記識別コードの出力処理として、前記識別コードに加え、前記画像データの送信の成否を示す情報である送信結果情報を、前記送信結果レポートに印刷する、請求項２又は３に記載のファクシミリ装置。
【請求項５】
前記制御装置は、
前記画像データの少なくとも一部を保存する処理として、送信した前記画像データの１ページ目の画像を保存し、
出力した前記識別コードに基づいて、前記保存先情報の示す保存先から取得した前記画像データの１ページ目の画像を出力する処理を実行する、請求項１乃至４の何れかに記載のファクシミリ装置。
【請求項６】
前記制御装置は、
出力した前記識別コードに基づいて、前記保存先情報の示す保存先から前記画像データの少なくとも一部を取得する処理と、
取得した前記画像データを前記送信部により再送信する処理と、
を実行する、請求項１乃至５の何れかに記載のファクシミリ装置。
【請求項７】
前記制御装置は、
前記保存先情報に加え、前記画像データを送信した送信先を示す情報である送信先情報を含む前記識別コードを生成し、
出力した前記識別コードに含まれる前記送信先情報に基づいて送信先を決定し、前記送信部による再送信を実行する、請求項６に記載のファクシミリ装置。
【請求項８】
前記制御装置は、送信した前記画像データに含まれる全てのページを保存する、請求項１乃至４の何れかに記載のファクシミリ装置。
【請求項９】
前記制御装置は、出力した前記識別コードに基づいて、前記保存先情報の示す保存先から取得した前記画像データの１ページ目の画像を出力するのか、又は全てのページの画像を出力するのかの選択を受け付ける処理を実行する、請求項８に記載のファクシミリ装置。
【請求項１０】
外部インタフェースを、さらに備え、
前記制御装置は、前記画像データの少なくとも一部を保存する処理として、送信した前記画像データの少なくとも一部を、前記外部インタフェースに接続された外部記憶装置に保存する、請求項１乃至９の何れかに記載のファクシミリ装置。
【請求項１１】
前記画像データを保存する内部メモリを、さらに備え、
前記制御装置は、
前記画像読取部により読み取った前記画像データを前記内部メモリに保存する処理と、
前記内部メモリに保存した前記画像データを前記送信部により送信する処理と、
前記画像データの少なくとも一部を前記外部記憶装置に保存したことに応じて、前記内部メモリに保存した前記画像データを削除する処理と、
を実行する、請求項１０に記載のファクシミリ装置。
【請求項１２】
前記制御装置は、
前記送信部による前記画像データの送信を終了させるか否かを判定する処理を、実行し、
前記画像データの少なくとも一部を前記外部記憶装置に保存し、且つ送信を終了させると判定したことに応じて、前記内部メモリに保存した前記画像データを削除する、請求項１１に記載のファクシミリ装置。
【請求項１３】
前記制御装置は、保存した前記画像データの少なくとも一部を再送信したことに応じて、前記外部記憶装置に保存した前記画像データを削除する、請求項１０乃至１２の何れかに記載のファクシミリ装置。
【請求項１４】
前記制御装置は、生成した前記識別コードの出力において、前記識別コードを読み込むことで前記画像データの少なくとも一部を再送信できる旨の情報、及び前記識別コードを読み込むことで前記画像データの少なくとも一部を確認できる旨の情報のうち、少なくとも一方の情報を前記識別コードとともに出力する、請求項１乃至１３の何れかに記載のファクシミリ装置。
【発明の詳細な説明】
【技術分野】
【０００１】
本発明は、ファクシミリ装置に関するものである。
【背景技術】
【０００２】
ファクシミリ装置の中には、メモリ送信機能を備えたものがある（例えば、特許文献１など）。このメモリ送信機能とは、シート（紙やＯＨＰなど）の一面に印刷された文字や図形を画像データとして読み取ってメモリへ一時的に記憶しておき、送信先のファクシミリ装置への発呼や電話回線の接続を実行した後、画像メモリに記憶した画像データを送信する機能である。特許文献１に開示されるファクシミリ装置では、相手先の通話中などで電話回線を接続できず送信エラーとなった場合に、メモリに記憶している画像データを消去することなく保存状態を維持する。そして、ファクシミリ装置は、ユーザによってリダイヤルキーを押下された場合に、保存しておいた画像データを再送信する。
【先行技術文献】
【特許文献】
【０００３】
【特許文献１】特開２０００−１１５４９３号公報
【発明の概要】
【発明が解決しようとする課題】
【０００４】
ところで、この種のファクシミリ装置は、画像データの保存先として、内部記憶装置（ＲＡＭやＲＯＭなど）や、外部記憶装置（外付けハードディスクやファイルサーバなど）を利用する可能性がある。また、ファクシミリ装置は、複数件の画像データ（送信データ）を保存する可能性がある。この場合、ユーザは、再送等に利用したい画像の保存先などを特定する必要がある。このため、この種のファクシミリ装置では、利用する画像データをユーザに特定し易くさせたいという要望がある。
【０００５】
本願は、上記の課題に鑑み提案されたものであって、保存された画像データをユーザに利用し易くできるファクシミリ装置を提供することを目的とする。
【課題を解決するための手段】
【０００６】
本願に係るファクシミリ装置は、シートの画像を読み取って画像データを生成する画像読取部と、前記画像データを外部機器に送信する送信部と、制御装置と、を備え、前記制御装置は、前記送信部を制御して、前記画像データを送信する処理と、送信した前記画像データの少なくとも一部を保存する処理と、前記画像データの少なくとも一部を保存した保存先を示す情報である保存先情報を含む識別コードを生成する処理と、生成した前記識別コードを出力する処理と、を実行する。
【０００７】
これによれば、制御装置は、読み取った画像データの送信にともなって、画像データの保存先を示す保存先情報を含む識別コードを生成し出力する。ユーザは、出力された識別コードを画像読取部で読み取らせるなどすれば、保存された画像データを利用できる。これにより、画像データの保存先を識別コードによって特定するため、ユーザは、保存先を検索等せずに画像データを利用でき、保存された画像データをより利用し易くなる。
【発明の効果】
【０００８】
本願に係るファクシミリ装置によれば、保存された画像データをユーザに利用し易くできる。
【図面の簡単な説明】
【０００９】
【図１】ＭＦＰの斜視図である。
【図２】ＭＦＰの電気的構成を示すブロック図である。
【図３】送信処理及び送信結果レポート出力処理の内容を示すフローチャートである。
【図４】送信処理及び送信結果レポート出力処理の内容を示すフローチャートである。
【図５】送信処理及び送信結果レポート出力処理の内容を示すフローチャートである。
【図６】バーコードの作成に成功した場合の送信結果レポートを示す図である。
【図７】バーコードの作成に失敗した場合の送信結果レポートを示す図である。
【図８】バーコード付き送信結果レポート読み取りからの処理の内容を示すフローチャートである。
【図９】バーコード付き送信結果レポート読み取りからの処理の内容を示すフローチャートである。
【図１０】表示又は再送信を選択する選択画面の図である。
【図１１】再送信の送信先を変更するか選択する画面の図である。
【図１２】再送信の送信先を入力する画面の図である。
【発明を実施するための形態】
【００１０】
以下、本願のファクシミリ装置を具体化した一実施形態であるＭＦＰ１について図１及び図２を参照しつつ説明する。
【００１１】
（１．ＭＦＰの構成）
図１は、本実施形態のＭＦＰ（Multi-Function Peripheral）１の斜視図を示している。ＭＦＰ１は、印刷機能、コピー機能、スキャナ機能、ＦＡＸ機能を備える複合機である。図１に示すように、ＭＦＰ１は、筐体１０、ＵＳＢインタフェース１９、ユーザインタフェース２０、給紙トレイ４１、排紙トレイ４２、及び上カバー４３などを備える。なお、以下の説明では、ＭＦＰ１の正面に立ったユーザの視点を基準とした方向を用いて説明する。即ち、図１における手前を「前」、奥を「後」とし、上を「上」、下を「下」とし、左を「左」、右を「右」とする。
【００１２】
筐体１０は、略箱形をなし、後述するＣＰＵ１２、ＮＶＲＡＭ１５、画像形成部１６（図２参照）などを内部に収納する。ユーザインタフェース２０は、筐体１０の上面前側に設置されている。ユーザインタフェース２０は、タッチパネル２１、及びテンキー２２などの操作ボタンを有する。ＵＳＢインタフェース１９は、筐体１０の前面上側に設置されている。ＵＳＢインタフェース１９は、ＵＳＢ（Universal Serial Bus）規格に準拠したコネクタであるレセプタクル１９１を２つ備える。筐体１０の下側には、シート（紙やＯＨＰなど）を収容する給紙トレイ４１が設置されている。ユーザは、給紙トレイ４１を前方に引出し、給紙トレイ４１にシートを入れることができる。給紙トレイ４１の上には、画像を形成したシートを支持する排紙トレイ４２が設置されている。上カバー４３は、後方に不図示の回動軸を有し、上方に回動可能となっている。上カバー４３の下には、原稿台が設置されている。ユーザは、画像読取部１７（図２参照）に原稿を読み取らせる（スキャンさせる）際、上カバー４３を回動させ、露出する原稿台に原稿を載置する。
【００１３】
次に、図２を用いて、ＭＦＰ１の電気的構成について説明する。ＭＦＰ１は、ＣＰＵ１２、ＲＡＭ１３、ＲＯＭ１４、ＮＶＲＡＭ（不揮発性メモリ）１５、画像形成部１６、画像読取部１７、ＦＡＸ通信部１８、ＵＳＢインタフェース１９、ユーザインタフェース２０、及びネットワークインタフェース２４などを備えている。これらのＣＰＵ１２等は、バス１１で互いに接続されている。また、ＭＦＰ１は、不図示の電源コードを介して商用電源から電源２５に給電されて動作する。電源２５は、商用電源から直流電源を生成し、不図示の電源線にてＭＦＰ１が備える各部へ電力を供給する。
【００１４】
ＲＯＭ１４は、各種プログラムを記憶している。ＣＰＵ１２は、ＲＯＭ１４から読み出したプログラムを実行し、処理結果をＲＡＭ１３に一時的に記憶させながら、バス１１で接続された各部を制御する。ＮＶＲＡＭ１５には、電話帳情報１５１、履歴情報１５２、及び画像データ１５３が保存される。電話帳情報１５１は、電話番号やＦＡＸ番号の情報である。履歴情報１５２は、電話・ＦＡＸの発信履歴や受信履歴の情報である。画像データ１５３は、コピー機能やＦＡＸ機能等で原稿を読み取って形成したデータである。
【００１５】
画像形成部１６は、ヘッド１６１及びインクカートリッジ１６２を有する。インクカートリッジ１６２は、インクを収容する。ヘッド１６１は、インクカートリッジ１６２から供給されるインクをシートに吐出する。これにより、画像形成部１６は、ＣＰＵ１２の制御に基づいて、インクジェット方式によりシートに画像を印刷する。画像読取部１７は、不図示の原稿台及びＣＩＳ（Contact Image Sensor）を備える。画像読取部１７は、原稿台に載置された原稿に対してＣＩＳを移動させ、原稿を読み取り、画像データ１５３を生成する。
【００１６】
ＦＡＸ通信部１８は、電話回線を介して、他のファクシミリ装置（外部機器）との間でＦＡＸデータの送受信を行う。ＵＳＢインタフェース１９は、レセプタクル１９１（図１参照）に接続された外部記憶装置（ＵＳＢメモリなど）に対して、データの読み出し及び書き込みを行う。例えば、本実施形態のＵＳＢインタフェース１９には、ＵＳＢメモリである常設メモリ３１及び外部メモリ３２が装着されている。ここでいう常設メモリ３１とは、例えば、ＦＡＸ機能やコピー機能の際に使用される予備メモリであり、ＮＶＲＡＭ１５の空き容量が所定値未満である場合に、画像データ１５３の記憶先として使用される。また、外部メモリ３２は、例えば、ユーザの所有するメモリである。このため、外部メモリ３２は、ユーザによって適宜着脱される。
【００１７】
ユーザインタフェース２０は、ＣＰＵ１２の制御に基づいて、例えば各種の設定画面や装置の動作状態等をタッチパネル２１（図１参照）に表示する。また、ユーザインタフェース２０は、タッチパネル２１、テンキー２２（図１参照）などで受け付けた操作を信号としてＣＰＵ１２へ送信する。ネットワークインタフェース２４は、例えば、ＬＡＮ（Local Area Network）インタフェースであり、ＬＡＮケーブル（図示略）を介してネットワークＮＷに接続されている。本実施形態のネットワークＮＷには、例えば、ＰＣ６１やファイルサーバ６３が接続されている。ユーザは、ＰＣ６１を操作することで、ＭＦＰ１に対して印刷指示を行うことができる。また、ＭＦＰ１は、ファイルサーバ６３に対し、画像データ１５３のアップロードやダウンロードを実行することができる。
【００１８】
（２．ＦＡＸの送信処理）
上記したようにＭＦＰ１は、ＦＡＸ受信機能とＦＡＸ送信機能とを有する。ＦＡＸ受信機能とは、ＦＡＸ通信部１８を介して受信した画像データ１５３を、例えば、画像形成部１６により印刷したり、ＮＶＲＡＭ１５もしくは常設メモリ３１に記憶させたりする機能である。ＦＡＸ送信機能とは、原稿を画像読取部１７によって読みとって生成した画像データ１５３や、ＰＣ６１などからネットワークインタフェース２４を介して受信した画像データ１５３を、ＦＡＸ通信部１８を介して他のファクシミリ装置へ送信する機能である。
【００１９】
（２−１．送信処理及び送信結果レポート出力処理）
次に、図３〜図５を用いて、ＦＡＸの送信処理、及び送信処理後の送信結果レポートの出力処理について説明する。ＭＦＰ１のＣＰＵ１２は、例えば、テンキー２２で送信先のＦＡＸ番号を入力され、タッチパネル２１のＦＡＸ読み取りボタンを押下されると、図３〜図５に示す処理を開始する。
【００２０】
まず、ＣＰＵ１２は、タッチパネル２１のＦＡＸ読み取りボタンを押下されると、図３のステップ（以下、「Ｓ」と省略する）１１において、画像読取部１７を制御して、原稿台にセッティングされたシートの一面に印刷等された画像（文字や図形）を画像データ１５３として読み取る（スキャンする）処理を開始する。ＣＰＵ１２は、全てのシートの読み取りを完了させるまで（Ｓ１３：ＮＯ）、画像の読み取りを継続する。ＣＰＵ１２は、例えば、シートの読み取りを開始した後、ユーザからタッチパネル２１に対して、全ての原稿の読み取りを完了した旨の操作（例えば、送信ボタンを押下する操作）を受け付けると、シートの読み取りを完了させる（１３：ＹＥＳ）。
【００２１】
なお、ＭＦＰ１は、自動でシートを取り込むトレイやシートローラを備え、シートを送り出しながら画像を読み取ってもよい。この場合、ＣＰＵ１２は、取り込み口に設けられたシートセンサによって、次に取り込むシートを検出できなくなったことに応じて、シートの読み取りを完了させてもよい（１３：ＹＥＳ）。
【００２２】
ＣＰＵ１２は、全てのシートの読み取りを完了すると（Ｓ１３：ＹＥＳ）、読み取った画像データ１５３を、例えば、ＲＡＭ１３に一時的に保存する（Ｓ１５）。ＣＰＵ１２は、送信先のファクシミリ装置へ発呼を行い、電話回線を接続（閉結）させ、ＲＡＭ１３に保存した画像データ１５３を送信先のファクシミリ装置へ送信する処理を開始する（Ｓ１７）。このように、本実施形態のＭＦＰ１は、一旦ＲＡＭ１３に保存した画像データ１５３を送信することで、メモリ送信機能を実現する。なお、ＭＦＰ１は、メモリ送信機能を備えなくともよい。
【００２３】
次に、ＣＰＵ１２は、画像データ１５３の送信を完了したか否かを判定する（Ｓ１９）。具体的には、ＣＰＵ１２は、画像データ１５３を送信し、送信先のファクシミリ装置との通信を終え、電話回線の切断を完了したか否かを判定する（Ｓ１９）。ＣＰＵ１２は、電話回線の切断を完了させるまで（Ｓ１９：ＮＯ）、Ｓ１９の判定処理を繰り返し実行する。
【００２４】
次に、ＣＰＵ１２は、電話回線を切断した後（Ｓ１９：ＹＥＳ）、画像データ１５３の送信を正常に完了できたか否かを判定する（Ｓ２１）。例えば、ＣＰＵ１２は、電話回線を切断する前に、全ての画像データ１５３を受信できたかを問い合わせる制御コマンドを送信先のファクシミリ装置に送信する。ＣＰＵ１２は、この制御コマンドに対して、送信先のファクシミリ装置から正常な応答を受信できたことに応じて、画像データ１５３の送信を正常に完了できたと判定する（Ｓ２１：ＹＥＳ）。また、ＣＰＵ１２は、送信先のファクシミリ装置から制御コマンドに対する応答がないことに応じて、画像データ１５３の送信に失敗したと判定する（Ｓ２１：ＮＯ）。
【００２５】
送信を成功させたことに応じて（Ｓ２１：ＹＥＳ）、ＣＰＵ１２は、図４に示すＳ２９以降の処理を開始する。一方、ＣＰＵ１２は、送信に失敗したことに応じて（Ｓ２１：ＮＯ）、Ｓ２３以降のリダイヤル処理を開始する。ＣＰＵ１２は、例えば、画像データ１５３の送信を完了するまで（Ｓ２１：ＹＥＳ）、ユーザにより予め設定されたリダイヤル回数分の発呼を繰り返す。例えば、送信先のファクシミリ装置が通信中で電話回線を接続できない場合、ＣＰＵ１２は、発呼を一旦中断し、所定時間の経過後に再発呼を行う。ＣＰＵ１２は、この再発呼処理を、ユーザによって設定された回数分だけ繰り返す。
【００２６】
まず、ＣＰＵ１２は、Ｓ２３において、繰り返したリダイヤルの回数がユーザによって設定されたリダイヤル回数以上であるか否かを判定する。ＣＰＵ１２は、実行したリダイヤルの回数が設定されたリダイヤル回数以上であることに応じて（Ｓ２３：ＹＥＳ）、即ち、送信に失敗したことに応じて、図４のＳ２９以降の処理を開始する。
【００２７】
一方、ＣＰＵ１２は、実行したリダイヤルの回数が設定されたリダイヤル回数より少ないことに応じて（Ｓ２３：ＮＯ）、所定時間だけ待機（Ｓ２５）した後、次のリダイヤルを開始する時刻となったか否かを判定する（Ｓ２７）。本実施形態のＭＦＰ１は、リダイヤルの時間間隔を設定可能となっている。ユーザは、例えば、リダイヤルの時間間隔を、ユーザインタフェース２０を操作してＭＦＰ１に対して行う。そして、ＣＰＵ１２は、Ｓ２５で所定時間だけ待機した後、合計の待機時間がユーザによって設定された時間（リダイヤルの時間間隔）以上となったか否かを判定する（Ｓ２７）。
【００２８】
ユーザによって設定された時間より少ないことに応じて（Ｓ２７：ＮＯ）、ＣＰＵ１２は、再度、Ｓ２５で待機し、Ｓ２７の判定処理を実行する。一方、ＣＰＵ１２は、待機した合計時間がユーザによって設定された時間以上になったことに応じて（Ｓ２７：ＹＥＳ）、Ｓ１７からの処理を再度実行する。これにより、ＣＰＵ１２は、ユーザによって設定された回数分だけリダイヤルを繰り返す。
【００２９】
次に、図４に示すＳ２９において、ＣＰＵ１２は、外部記憶装置にアクセス可能であるか否かを判定する。ここでいう外部記憶装置は、送信するシートを読み取った画像データ１５３を記憶可能な記憶装置であり、例えば、上記した常設メモリ３１、外部メモリ３２、ファイルサーバ６３、ＰＣ６１などである。ＣＰＵ１２は、例えば、全ての外部記憶装置に対して通信を実行し、画像データ１５３を保存可能であるか否かを問い合わせる（Ｓ２９）。また、複数の外部記憶装置がアクセス可能である場合、ＣＰＵ１２は、画像データ１５３を記憶させる外部記憶装置を選択する。この選択方法（優先順位や何カ所に記憶させるかなど）は、例えば、予めユーザによって設定される。なお、ＣＰＵ１２は、全ての外部記憶装置にアクセスせずに、例えば、ユーザによって設定された特定の外部記憶装置のみにアクセスを試みてもよい。
【００３０】
ＣＰＵ１２は、アクセス可能な外部記憶装置がないことに応じて（Ｓ２９：ＮＯ）、Ｓ３７以降の処理を開始する。一方、ＣＰＵ１２は、アクセス可能な外部記憶装置が存在したことに応じて（Ｓ２９：ＹＥＳ）、外部記憶装置に画像データ１５３を保存する（Ｓ３１）。ＣＰＵ１２は、例えば、画像データ１５３に含まれる全てのページを外部記憶装置に保存する。これにより、後述する再送信の際に、原稿を再度読み込ませる手間がなくなる。また、ＣＰＵ１２は、画像データ１５３の一部（例えば、フロントページのみ）を外部記憶装置に保存してもよい。これにより、後述する表示処理（図９のＳ７３参照）のように、タッチパネル２１にフロントページのみを表示することができる。
【００３１】
Ｓ３１を実行した後、ＣＰＵ１２は、外部記憶装置への保存に成功したか否かを判定する（Ｓ３３）。例えば、ＣＰＵ１２は、ファイルサーバ６３から保存を完了した旨の通知を受信した場合に、保存に成功したと判定する（Ｓ３３：ＹＥＳ）。また、ＣＰＵ１２は、画像データ１５３の送信を完了した後、所定時間を経過してもファイルサーバ６３から保存を完了した旨の通知を受信できない場合、保存に失敗したと判定する（Ｓ３３：ＮＯ）。
【００３２】
ＣＰＵ１２は、保存に成功したことに応じて（Ｓ３３：ＹＥＳ）、ＲＡＭ１３に保存された画像データ１５３のうち、外部記憶装置に保存した画像データ１５３に対応するものを削除する（Ｓ３５）。即ち、ＣＰＵ１２は、外部記憶装置への保存に成功したため、ＲＡＭ１３に重複して保存されることとなる画像データ１５３を削除し、ＲＡＭ１３の記憶領域を開放する。ＣＰＵ１２は、ＲＡＭ１３から画像データを削除（Ｓ３５）した後、Ｓ３７以降の処理を開始する。
【００３３】
また、ＣＰＵ１２は、Ｓ３３において保存に失敗したことに応じて（Ｓ３３：ＮＯ）、Ｓ３７以降の処理を開始する。この場合、ＲＡＭ１３には、図３のＳ１５で保存した画像データ１５３が保存されたままとなる。なお、ＣＰＵ１２は、保存に失敗した画像データ１５３を、ＲＡＭ１３からＮＶＲＡＭ１５へ移動させてよい。これにより、ＭＦＰ１の電源を切断された場合であっても、画像データ１５３をＮＶＲＡＭ１５に残すことができる。また、ＣＰＵ１２は、Ｓ１５の処理の時点で、シートから読み取った画像データ１５３をＮＶＲＡＭ１５に直接保存してもよい。
【００３４】
次に、Ｓ３７において、ＣＰＵ１２は、送信結果、相手先、データ保存先の情報をＮＶＲＡＭ１５に保存する。ここでいう送信結果の情報とは、ＦＡＸの送信に成功したか否かを示す情報である。相手先の情報は、ＦＡＸの送信先のＦＡＸ番号や、電話帳情報１５１の登録情報などである。データ保存先の情報は、例えば、ＲＡＭ１３、ＮＶＲＡＭ１５、あるいは外部記憶装置のどれに画像データ１５３を保存したのかを示す情報や、具体的な保存先（外部メモリ３２のフォルダパスやファイルサーバ６３のＵＲＬなど）の情報である。
【００３５】
Ｓ３７を実行すると、ＣＰＵ１２は、送信結果レポートを自動で出力する設定がなされているか否かを判定する（Ｓ３９）。例えば、ＭＦＰ１は、ユーザからのユーザインタフェース２０に対する操作に応じて、ＦＡＸの送信後に自動で送信結果レポートを出力するか否かを設定可能となっている。送信結果レポートを自動出力する設定がされていないことに応じて（Ｓ３９：ＮＯ）、ＣＰＵ１２は、図３〜図５に示す処理を終了する。
【００３６】
一方、送信結果レポートを自動出力する設定がなされていることに応じて（Ｓ３９：ＹＥＳ）、ＣＰＵ１２は、Ｓ３７で保存した相手先を示す情報と、データ保存先を示す情報とを含む識別コードを生成する（Ｓ４１）。識別コードとしては、例えば、図６に示すバーコード２０１の画像を生成する。なお、識別コードは、バーコード２０１に限らず、二次元コードでもよい。また、ここでいう各種の情報を含む識別コードとは、例えば、情報量の多い識別コード（二次元コードなど）であれば、その情報の中に必要な情報（データ保存先を示す情報など）を設定してもよい。また、情報量の少ない識別コード（バーコードなど）であれば、その情報と必要な情報を関連付けておき、バーコードの情報に基づいて必要な情報を検索等してもよい。
【００３７】
次に、ＣＰＵ１２は、Ｓ４１においてバーコード２０１の生成に成功したか否かを判定する（図５のＳ４３）。バーコード２０１の生成に成功したことに応じて（Ｓ４３：ＹＥＳ）、ＣＰＵ１２は、送信結果の情報、生成したバーコード２０１（識別コード）を用いて送信結果レポートを生成し（Ｓ４５）、生成した送信結果レポートを出力する（Ｓ４７）。ＣＰＵ１２は、例えば、画像形成部１６を制御して、図６に示す送信結果レポート２０３を印刷（出力）する。なお、バーコード２０１（識別コード）を出力する方法は、印刷に限らない。例えば、ＣＰＵ１２は、送信結果レポート２０３を印刷せずに、タッチパネル２１（図１参照）にバーコード２０１を表示してもよい。この場合、ユーザは、例えば、タッチパネル２１に表示されたバーコード２０１を携帯端末のカメラで撮影し、携帯端末に画像データ１５３を表示させて確認してもよい。あるいは、ＣＰＵ１２は、送信結果レポート２０３のデータを、ネットワークＮＷ（図１参照）を介してＰＣ６１やファイルサーバ６３に送信してもよい。この場合、ユーザは、ＰＣ６１を操作して画像データ１５３を確認できる。
【００３８】
図６に示すように送信結果レポート２０３には、上から、タイトル２０５、通信情報２０６、通知情報２０７、及びバーコード２０１が印刷されている。タイトル２０５には、「送信結果レポート」の文字が印刷されている。通信情報２０６には、送信日時、相手先名称（登録情報）、通信時間、送信したページ数、送信結果、送信時の画質が印刷されている。送信結果のビジーの表記は、通話中などにより送信に失敗したこと（失敗した原因）を示している。また、通知情報２０７には、バーコード２０１を読み込むことで画像データ１５３を再送信できる旨の情報、及びバーコード２０１を読み込むことで画像データ１５３を確認できる旨の情報が印刷されている。これにより、ユーザは、送信の失敗などやバーコード２０１の利用方法を把握できる。
【００３９】
また、図５のＳ４３において、バーコード２０１の生成に失敗したことに応じて（Ｓ４３：ＮＯ）、ＣＰＵ１２は、送信結果の情報、画像データ１５３の１ページ目の画像を用いて送信結果レポートを生成し（Ｓ４９）、生成した送信結果レポートを出力する（Ｓ４７）。即ち、ＣＰＵ１２は、バーコード２０１の生成に失敗した場合、バーコード２０１に替えて送信した画像データ１５３の１ページ目の画像を送信結果レポートに印刷する。例えば、作業用のメモリであるＲＡＭ１３の空き容量が足りない場合、ＣＰＵ１２は、バーコード２０１の画像を生成できない虞がある。この場合、ＣＰＵ１２は、生成に失敗したバーコード２０１の画像に替えて、ＦＡＸで送信した画像データ１５３を特定できる情報として１ページ目の画像を送信結果レポートに印刷する。なお、バーコード２０１に替えて送信結果レポートに出力するデータは、１ページ目の画像に限らず、最後のページの画像でもよい。
【００４０】
ＣＰＵ１２は、画像形成部１６を制御して、図７に示す送信結果レポート３０３を印刷する。なお、図７に示す送信結果レポート３０３の説明では、図６の送信結果レポート２０３と同じ内容については同一符号を付し、その説明を省略する。図７に示すように送信結果レポート３０３には、上から、タイトル２０５、通信情報２０６、通知情報３０７、及び１ページ目の画像３０１が印刷されている。通知情報３０７には、メモリ（ＲＡＭ１３）不足によりバーコード２０１の作成に失敗した旨、及びトップページを印刷した旨が印刷されている。また、画像３０１には、１ページ目の画像の一部が印刷されている。これにより、ユーザは、送信結果、１ページ目の画像に加え、メモリ不足の情報やバーコード２０１の生成に失敗したことを把握できる。
【００４１】
（２−２．バーコード付き送信結果レポート読み取りからの処理）
次に、図８及び図９を用いて、バーコード付きの送信結果レポート２０３（図６参照）を読み取った際の処理について説明する。本実施形態のＭＦＰ１は、例えば、送信結果レポート２０３を読み込むための専用モードを備えている。ＭＦＰ１は、例えば、ユーザによりタッチパネル２１を操作されることで、送信結果レポート２０３を読み込む専用モードとなる。そして、ＣＰＵ１２は、専用モードにおいてタッチパネル２１の読み取りボタンを押下されると、図８及び図９に示す処理を開始する。なお、ＣＰＵ１２は、例えば、図３〜図５に示したＦＡＸを送信するモードにおいてシートを読み込んだ際に、図６に示すタイトル２０５の文字列（送信結果レポート）などの特定の文字列をシート内に検出した場合に、図８及び図９に示す処理を開始してもよい。あるいは、ＣＰＵ１２は、読み込んで検出したバーコード２０１の内容を解析し、該当する相手先の情報や、保存先の情報を検出できた場合に、図８及び図９に示す処理を開始してもよい。
【００４２】
ＣＰＵ１２は、上記した専用モードにおいてユーザインタフェース２０の読み取りボタンを押下されると、画像読取部１７を制御し、送信結果レポート２０３の読み取りを開始する（図８のＳ５１）。画像読取部１７は、送信結果レポート２０３のバーコード２０１を印刷した面の画像（文字や図形）を画像データとして読み取る（スキャンする）。ＣＰＵ１２は、送信結果レポート２０３の読み取りを完了させるまで（Ｓ５３：ＮＯ）、画像の読み取りを継続する。ＣＰＵ１２は、例えば、送信結果レポート２０３の読み取りを開始した後、ユーザからタッチパネル２１に対して読み取りを完了した旨の操作を受け付けると、送信結果レポート２０３の読み取りを完了させる（５３：ＹＥＳ）。
【００４３】
ＣＰＵ１２は、送信結果レポート２０３の読み取りを完了すると（Ｓ５３：ＹＥＳ）、読み取った画像データ（第二画像データ）を、例えば、ＲＡＭ１３に一時的に保存する。なお、以下の説明では、送信結果レポート２０３（バーコード２０１）を読み取った画像データを、上記したＦＡＸ送信時に生成した画像データ１５３と区別するため、第二画像データＤ１（図１参照）と称して説明する。
【００４４】
ＣＰＵ１２は、ＲＡＭ１３に保存した第二画像データＤ１に基づいて、送信結果レポート２０３にバーコード２０１が印刷されているか否かを判定する（Ｓ５５）。ＣＰＵ１２は、第二画像データＤ１からバーコード２０１を検出できない、即ち、読み取った送信結果レポート２０３にバーコード２０１が含まれていないことに応じて（Ｓ５５：ＮＯ）、図８及び図９に示す処理を終了する。
【００４５】
一方、ＣＰＵ１２は、第二画像データＤ１からバーコード２０１を検出したことに応じて（Ｓ５５：ＹＥＳ）、バーコード２０１を解析し、図４のＳ４１で設定した画像データ１５３（ＦＡＸ送信時の画像）の保存先の情報を取得する（Ｓ５７）。画像データ１５３の保存先の情報は、上記したように、ＦＡＸ送信時の画像データ１５３を、どの記憶装置（ＲＡＭ１３や外部記憶装置）のどの場所（フォルダパスなど）に保存したのかを示す情報である。
【００４６】
ＣＰＵ１２は、Ｓ５７で取得した保存先の情報に基づいて、保存先から画像データ１５３を取得する（Ｓ５９）。次に、ＣＰＵ１２は、画像データ１５３の取得に成功したか否かを判定する（Ｓ６１）。例えば、ＣＰＵ１２は、Ｓ５７においてファイルサーバ６３にアクセスして、画像データ１５３をダウンロードする。ＣＰＵ１２は、ネットワークの輻輳等により、ファイルサーバ６３から画像データ１５３をダウンロードできないことに応じて（Ｓ６１：ＮＯ）、画像データ１５３の取得に失敗した旨をユーザに通知する（Ｓ６３）。ＣＰＵ１２は、例えば、ダウンロードに失敗した旨をタッチパネル２１（図１参照）に表示させ（Ｓ６３）、図８及び図９に示す処理を終了する。
【００４７】
また、例えば、ＣＰＵ１２は、Ｓ５７において外部メモリ３２にアクセスして、画像データ１５３を読み込む処理を実行する。図８に示す処理を開始した時点で外部メモリ３２が接続されていない場合、ＣＰＵ１２は、画像データ１５３の読み込みに失敗する。この場合、ＣＰＵ１２は、外部メモリ３２から画像データ１５３を取得できないことに応じて（Ｓ６１：ＮＯ）、例えば外部メモリ３２が未接続である旨をタッチパネル２１（図１参照）に表示させる（Ｓ６３）。
【００４８】
一方、ＣＰＵ１２は、Ｓ６１において保存先から画像データ１５３を取得するのに成功したことに応じて（Ｓ６１：ＹＥＳ）、取得した画像データ１５３をＲＡＭ１３に一時的に保存する（Ｓ６５）。なお、ＣＰＵ１２は、保存先の画像データ１５３を既にＲＡＭ１３に保存している、即ち、作業用のメモリに既に読み込んでいる場合、Ｓ６５の処理を省略してもよい。例えば、図３に示すＦＡＸ送信の直後に図８に示す送信結果レポート２０３を読み込む処理を開始した場合、ＦＡＸ送信時の画像データ１５３をＲＡＭ１３に保存した状態を維持していれば、ＣＰＵ１２は、Ｓ６５の処理を省略できる。
【００４９】
Ｓ６５を実行した後、ＣＰＵ１２は、画像データ１５３をＲＡＭ１３へ保存できたか否かを判定する（Ｓ６７）。例えば、ＲＡＭ１３の空き領域が少ない場合、ＣＰＵ１２は、画像データ１５３をＲＡＭ１３へ保存できない可能性がある。このため、ＣＰＵ１２は、ＲＡＭ１３へ画像データ１５３を保存できないことに応じて（Ｓ６７：ＮＯ）、図８及び図９に示す処理を終了する。この場合、ＣＰＵ１２は、ユーザにエラーを通知してもよい。
【００５０】
また、ＣＰＵ１２は、ＲＡＭ１３への保存に成功したことに応じて（Ｓ６７：ＹＥＳ）、Ｓ６５で保存した画像データ１５３を表示するのか、あるいは画像データ１５３を使ってＦＡＸの再送を行うのかを選択させる選択画面３１０（図１０参照）をタッチパネル２１（図１参照）に表示させる（図９のＳ６９）。Ｓ６９で選択画面３１０を表示した後、ＣＰＵ１２は、ユーザによって表示又は再送信の何れを選択されたのかを判定する（Ｓ７１）。
【００５１】
図１０は、選択画面３１０の一例を示している。図１０に示すように、選択画面３１０には、バーコード２０１を認識した旨と、画像表示を選択する選択ボタン３１１と、再送信を選択する選択ボタン３１２が表示されている。ＣＰＵ１２は、画面左の選択ボタン３１１をタッチ操作されることに応じて（Ｓ７１：ＹＥＳ）、画像データ１５３の１ページ目の画像を出力する（Ｓ７３）。例えば、ＣＰＵ１２は、ＲＡＭ１３に保存した画像データ１５３の１ページ目の画像をタッチパネル２１に表示させる（Ｓ７３）。あるいは、タッチパネル２１の表示領域が狭い場合など、ＣＰＵ１２は、画像データ１５３の一部を印刷してもよい。これにより、ユーザは、過去に送信した画像データ１５３を確認することができる。ＣＰＵ１２は、Ｓ７３を実行した後、図８及び図９に示す処理を終了する。
【００５２】
また、Ｓ７１において、ＣＰＵ１２は、図１０の画面右の選択ボタン３１２をタッチ操作されることに応じて（Ｓ７１：ＮＯ）、送信先を変更するか否かを選択させる選択画面３２０（図１１参照）をタッチパネル２１に表示させ、変更の有無を受け付ける（Ｓ７４）。図１１は、選択画面３２０の一例を示している。図１１に示すように、選択画面３２０には、前回の送信先のＦＡＸ番号３２１と、送信先の変更を選択する選択ボタン３２２と、送信先を変更しないことを選択する選択ボタン３２３とが表示されている。
【００５３】
ＣＰＵ１２は、画面右の選択ボタン３２３をタッチ操作されることに応じて（Ｓ７４：ＹＥＳ）、送信先のＦＡＸ番号３２１を変更せずに画像データ１５３の再送信を開始する（Ｓ７５）。ＣＰＵ１２は、図３のＳ１９と同様に、画像データ１５３の送信を完了したか否かを判定する（Ｓ７７）。ＣＰＵ１２は、電話回線の切断を完了させるまで（Ｓ７７：ＮＯ）、Ｓ７７の判定処理を繰り返し実行する。
【００５４】
次に、ＣＰＵ１２は、電話回線を切断した後（Ｓ７７：ＹＥＳ）、図３のＳ２１と同様に、画像データ１５３の送信を正常に完了できたか否かを判定する（Ｓ７９）。送信を成功させたことに応じて（Ｓ７９：ＹＥＳ）、ＣＰＵ１２は、画像データ１５３の削除を実行する（Ｓ８１）。ＣＰＵ１２は、例えば、図８のＳ６５でＲＡＭ１３に保存した画像データと、Ｓ５９の処理における保存先の画像データ１５３との両方を削除する。即ち、ＣＰＵ１２は、今回の再送信に成功した画像データ１５３を、内部記憶装置や外部記憶装置の全てから削除する。これにより、一度送信に失敗した後、再送信に成功した画像データ１５３を記憶装置から削除し、不要なデータが蓄積されるのを抑制できる。ＣＰＵ１２は、Ｓ８１を実行した後、図８及び図９に示す処理を終了する。なお、ＣＰＵ１２は、画像データ１５３を自動で削除せずに、ユーザからの指示を受け付けてもよい。
【００５５】
また、Ｓ７９において、ＣＰＵ１２は、送信に失敗したことに応じて（Ｓ７９：ＮＯ）、図４に示すＳ２９以降の処理を開始する。これにより、再送信の画像データ１５３を、外部記憶装置やＮＶＲＡＭ１５に保存し、送信結果レポート２０３，３０３を出力することができる。なお、この場合、ＣＰＵ１２は、図８のＳ５９の処理における保存先の画像データ１５３を予め削除してもよい。これにより、送信結果レポート２０３を読み込んでＦＡＸ送信に失敗（Ｓ７９：ＮＯ）する度に、重複した画像データ１５３が別々の場所に保存されていくことを抑制できる。
【００５６】
また、図９のＳ７４において、ＣＰＵ１２は、図１１の画面左の選択ボタン３２２をタッチ操作されることに応じて（Ｓ７４：ＮＯ）、図１２に示す送信先の入力画面３３０をタッチパネル２１に表示する（Ｓ８３）。図１２に示すように、入力画面３３０には、ＦＡＸ番号の入力欄３３１と、電話帳ボタン３３３と、履歴ボタン３３５と、オプションボタン３３７と、開始ボタン３３９とが表示されている。ＣＰＵ１２は、入力欄３３１をタッチ操作されることに応じて、送信先のＦＡＸ番号の入力を受け付ける。これにより、ユーザは、ＦＡＸ番号を直接入力して変更することができる。
【００５７】
また、ＣＰＵ１２は、電話帳ボタン３３３をタッチ操作されることに応じて、ＮＶＲＡＭ１５に保存された電話帳情報１５１（図２参照）をタッチパネル２１に表示する。これにより、ユーザは、表示された電話帳の中からＦＡＸ番号を選択することで入力欄３３１への入力を簡便に実施できる。また、ＣＰＵ１２は、履歴ボタン３３５をタッチ操作されることに応じて、ＮＶＲＡＭ１５に保存された履歴情報１５２（図２参照）をタッチパネル２１に表示する。これにより、ユーザは、表示された送信履歴や受信履歴の中からＦＡＸ番号を選択することで入力欄３３１への入力を簡便に実施できる。オプションボタン３３７は、例えば、今回の再送信にともなって送信結果レポート２０３，３０３を出力するなどのオプションを設定するためのボタンである。開始ボタン３３９は、入力欄３３１に表示されたＦＡＸ番号に向けて画像データ１５３の送信を開始させるボタンである。
【００５８】
そして、ＣＰＵ１２は、Ｓ８３を実行した後、開始ボタン３３９をタッチ操作されたか否かを判定する（Ｓ８５）。ＣＰＵ１２は、開始ボタン３３９をタッチ操作されるまで（Ｓ８５：ＮＯ）、Ｓ８５の判定処理を繰り返し実行する。ＣＰＵ１２は、開始ボタン３３９をタッチ操作されたことに応じて（Ｓ８５：ＹＥＳ）、Ｓ７５以降の処理を開始する。これにより、前回の送信先とは異なる送信先に画像データ１５３を送信することができる。
【００５９】
因みに、ＭＦＰ１は、ファクシミリ装置の一例である。ＦＡＸ通信部１８は、送信部の一例である。ＣＰＵ１２は、制御装置の一例である。バーコード２０１は、識別コードの一例である。画像形成部１６は、印刷部の一例である。通信情報２０６は、送信結果情報の一例である。ＵＳＢインタフェース１９及びネットワークインタフェース２４は、外部インタフェースの一例である。常設メモリ３１、外部メモリ３２、ＰＣ６１、及びファイルサーバ６３は、外部記憶装置の一例である。ＲＡＭ１３は、内部メモリの一例である。
【００６０】
（３．効果）
以上、上記した実施形態によれば、以下の効果を奏する。
（１）ＭＦＰ１（ファクシミリ装置）は、シートの画像を読み取って画像データ１５３を生成する画像読取部１７と、画像データ１５３を外部機器（送信先のＦＡＸ装置など）に送信するＦＡＸ通信部１８（送信部）と、ＣＰＵ１２（制御装置）と、を備える。ＣＰＵ１２は、ＦＡＸ通信部１８を制御して、画像データ１５３を送信する処理（Ｓ１７）と、送信した画像データ１５３の少なくとも一部を保存する処理（Ｓ１５，Ｓ３１）と、画像データ１５３の少なくとも一部を保存した保存先を示す情報である保存先情報を含むバーコード２０１（識別コード）を生成する処理（Ｓ４１）と、生成したバーコード２０１を出力する処理（Ｓ４７）と、を実行する。なお、ここでいう保存先情報を含むバーコード２０１とは、例えば、バーコード２０１の情報の中に、保存先のＵＲＬを設定することをいう。
【００６１】
これによれば、ＣＰＵ１２は、読み取った画像データ１５３の送信にともなって、画像データ１５３の保存先を示す保存先情報を含むバーコード２０１を生成し出力する。ユーザは、出力されたバーコード２０１を画像読取部で読み取らせるなどすれば、保存された画像データ１５３を利用できる。これにより、画像データ１５３の保存先をバーコード２０１によって特定するため、ユーザは、保存先を検索等せずに画像データ１５３を利用でき、保存された画像データ１５３をより利用し易くなる。
【００６２】
（２）また、ＭＦＰ１は、画像形成部１６（印刷部）を、さらに備える。ＣＰＵ１２（制御装置）は、バーコード２０１（識別コード）の出力処理として、画像形成部１６を制御して、バーコード２０１を印刷した送信結果レポート２０３を生成する。
【００６３】
これによれば、ユーザは、シートに印刷されたバーコード２０１を画像読取部で読み取らせるなどすれば、保存された画像データ１５３を利用できる。
【００６４】
（３）また、ＣＰＵ１２（制御装置）は、画像読取部１７を制御して、送信結果レポート２０３の画像を読み取って第二画像データＤ１を生成する処理（Ｓ５１）と、第二画像データＤ１からバーコード２０１（識別コード）を検出する処理（Ｓ５５）と、検出したバーコード２０１に基づいて、保存先情報の示す保存先から画像データ１５３の少なくとも一部を取得する処理（Ｓ５９）と、取得した画像データ１５３を出力する処理（Ｓ７３、Ｓ７５）と、を実行する。
【００６５】
これによれば、ＣＰＵ１２は、送信結果レポート２０３の第二画像データＤ１からバーコード２０１を検出し、過去に送信した際に保存した画像データ１５３を、保存先情報の示す保存先から取得する。ＣＰＵ１２は、取得した画像データ１５３を出力（送信、表示など）する。これにより、過去の画像データ１５３を用いてＦＡＸの再送を行ったり、あるいは、過去の画像データ１５３を表示したりすることができる。
【００６６】
（４）また、ＣＰＵ１２（制御装置）は、バーコード２０１（識別コード）の出力処理として、バーコード２０１に加え、画像データ１５３の送信の成否を示す情報である通信情報２０６（送信結果情報）を、送信結果レポート２０３，３０３に印刷する。
【００６７】
これによれば、ユーザは、送信結果レポート２０３，３０３の通信情報２０６（送信結果情報）を見ることで、ＦＡＸの送信に成功したのか否かを確認できる。従って、ユーザは、送信結果に基づいた判断、例えば、バーコード２０１を用いてＦＡＸの再送信をすべきか否かの判断をできる。
【００６８】
（５）また、ＣＰＵ１２（制御装置）は、画像データ１５３の少なくとも一部を保存する処理として、送信した画像データ１５３の１ページ目の画像を保存し、出力したバーコード２０１（識別コード）に基づいて、保存先情報の示す保存先から取得した画像データ１５３の１ページ目の画像を出力する処理を実行する（Ｓ７３）。
【００６９】
これによれば、ユーザは、出力された１ページ目の画像を確認することで、過去に送信した画像データの内容の一部を確認できる。また、１ページ目のみ保存するため、画像データ１５３を保存するために確保すべき記憶領域を小さくできる。
【００７０】
（６）また、ＣＰＵ１２（制御装置）は、出力したバーコード２０１（識別コード）に基づいて、保存先情報の示す保存先から画像データ１５３の少なくとも一部を取得する処理（Ｓ５９）と、取得した画像データ１５３をＦＡＸ通信部１８（送信部）により再送信する処理（Ｓ７５）と、を実行する。
【００７１】
これによれば、過去に保存された画像データ１５３を、バーコード２０１により取得して再送信することができる。
【００７２】
（７）また、ＣＰＵ１２（制御装置）は、保存先情報に加え、画像データ１５３を送信した送信先を示す情報である送信先情報を含むバーコード２０１（識別コード）を生成し、出力したバーコード２０１に含まれる送信先情報に基づいて送信先を決定し、ＦＡＸ通信部１８（送信部）による再送信を実行する。
【００７３】
これによれば、ＣＰＵ１２は、バーコード２０１に含まれる送信先情報に基づいて、画像データ１５３の再送信先を決定できる。
【００７４】
（８）また、ＣＰＵ１２（制御装置）は、送信した画像データ１５３に含まれる全てのページを保存する。
【００７５】
これによれば、ＣＰＵ１２は、画像データ１５３の送信にともなって画像データ１５３の全てのページを保存する。これにより、画像データ１５３の全ページを再送信したり、全ページを表示したりすることが可能となる。
【００７６】
（９）また、ＣＰＵ１２は、出力したバーコード２０１（識別コード）に基づいて、保存先情報の示す保存先から取得した画像データ１５３の１ページ目の画像を出力するのか、又は全てのページの画像を出力するのかの選択を受け付ける処理（Ｓ７１）を実行する。
【００７７】
これによれば、ユーザは、過去に送信した画像データ１５３の１ページ目の画像を出力し確認等するのか、全てのページを出力し再送等するのかを選択できる。
【００７８】
（１０）また、ＭＦＰ１は、ＵＳＢインタフェース１９及びネットワークインタフェース２４（外部インタフェース）を備える。ＣＰＵ１２は、画像データ１５３の少なくとも一部を保存する処理として、送信した画像データ１５３の少なくとも一部を、外部インタフェース（ＵＳＢインタフェース１９等）に接続された外部記憶装置（常設メモリ３１、外部メモリ３２、ＰＣ６１、ファイルサーバ６３）に保存する。
【００７９】
これによれば、ＣＰＵ１２は、送信した画像データ１５３をファイルサーバ６３等の外部記憶装置に保存するため、内部の記憶装置（ＮＶＲＡＭ１５など）の記憶領域を、画像データ１５３を保存することで圧迫するのを抑制できる。
【００８０】
（１１）また、ＭＦＰ１は、画像データ１５３を保存するＲＡＭ１３（内部メモリ）を、さらに備える。ＣＰＵ１２（制御装置）は、画像読取部１７により読み取った画像データ１５３をＲＡＭ１３に保存する処理（Ｓ１５）と、ＲＡＭ１３に保存した画像データ１５３をＦＡＸ通信部１８（送信部）により送信する処理（Ｓ１７）と、画像データ１５３の少なくとも一部をファイルサーバ６３など（外部記憶装置）に保存したことに応じて、ＲＡＭ１３に保存した画像データ１５３を削除する処理（Ｓ３５）と、を実行する。
【００８１】
これによれば、ＣＰＵ１２は、シートから読み取った画像を一旦ＲＡＭ１３に保存してから送信することで、メモリ送信機能を実現する。ＣＰＵ１２は、画像データ１５３をファイルサーバ６３などに保存したことに応じて、ＲＡＭ１３の画像データ１５３を削除する。これにより、ＲＡＭ１３の記憶領域の圧迫を低減できる。
【００８２】
（１２）また、ＣＰＵ１２（制御装置）は、ＦＡＸ通信部１８（送信部）による画像データ１５３の送信を終了させるか否かを判定する処理（Ｓ２１，Ｓ２３）を、実行し、画像データ１５３の少なくとも一部をファイルサーバ６３など（外部記憶装置）に保存し（Ｓ３１）、且つ送信を終了させると判定したことに応じて（Ｓ２１：ＹＥＳ、Ｓ２３：ＹＥＳ）、ＲＡＭ１３（内部メモリ）に保存した画像データ１５３を削除する（Ｓ３５）。
【００８３】
これによれば、ＣＰＵ１２は、画像データ１５３をファイルサーバ６３などに保存し、且つ送信を終了させると判定したことに応じて、ＲＡＭ１３の画像データ１５３を削除する。これにより、ＲＡＭ１３の記憶領域の圧迫を低減できる。なお、ここでいう送信の終了とは、ＦＡＸの送信を完了し正常終了した場合や、リダイヤル回数が所定回数以上となってエラー終了した場合である。
【００８４】
（１３）また、ＣＰＵ１２（制御装置）は、保存した画像データ１５３の少なくとも一部を再送信したことに応じて（Ｓ７９：ＹＥＳ）、ファイルサーバ６３など（外部記憶装置）に保存した画像データ１５３を削除する（Ｓ８１）。
【００８５】
これによれば、ＣＰＵ１２は、再送信にともなって、ファイルサーバ６３から画像データ１５３を削除する。これにより、ファイルサーバ６３の記憶領域の圧迫を低減できる。
【００８６】
（１４）また、ＣＰＵ１２（制御装置）は、生成したバーコード２０１（識別コード）の出力において、バーコード２０１（識別コード）を読み込むことで画像データ１５３の少なくとも一部を再送信できる旨の情報、及びバーコード２０１を読み込むことで画像データ１５３の少なくとも一部を確認できる旨の情報のうち、少なくとも一方の情報をバーコード２０１とともに出力する（図６の通知情報２０７参照）。
【００８７】
これによれば、ユーザは、バーコード２０１とともに出力された通知情報２０７（再送の旨など）を確認することで、バーコード２０１の利用方法を把握できる。なお、通知情報２０７は、バーコード２０１を読み込むことで画像データ１５３の少なくとも一部を再送信できる旨の情報、又はバーコード２０１を読み込むことで画像データ１５３の少なくとも一部を確認できる旨の情報のいずれか一方のみの情報でもよい。
【００８８】
（４．変形例）
尚、本願は前記実施形態に限定されるものではなく、本発明の趣旨を逸脱しない範囲内での種々の改良、変更が可能であることは言うまでもない。
例えば、ＣＰＵ１２は、送信結果レポート２０３に、送信の成否を示す通信情報２０６を印刷しなくともよい。
また、ＣＰＵ１２は、図９のＳ７１の処理を実行せずに、即ち、ユーザによる選択を実行せずに、Ｓ７３（１ページ目の画像出力）の処理、又はＳ７４以降（再送信）の処理を実行する構成でもよい。
また、ＣＰＵ１２は、図４のＳ４１において、バーコード２０１に相手先（ＦＡＸ番号など）を含めなくともよい。
また、ＭＦＰ１は、ＵＳＢインタフェース１９やネットワークインタフェース２４などの外部インタフェースを備えなくともよい。即ち、ＭＦＰ１は、外部に画像データ１５３を保存できない構成でもよい。
また、ＭＦＰ１は、ＮＶＲＡＭ１５などを備えず、内部に画像データ１５３を保存できない構成でもよい。
【００８９】
また、ＣＰＵ１２は、送信結果レポート２０３，３０３を出力するか否かの設定に応じて（図４のＳ３９参照）、送信結果レポート２０３，３０３を出力したが、これに限らない。例えば、ＣＰＵ１２は、ＦＡＸの送信に失敗した時のみ送信結果レポート２０３，３０３を出力する構成でもよい。あるいは、ＣＰＵ１２は、設定や送信結果の成否に係わらず送信結果レポート２０３，３０３を出力する構成でもよい。
また、ＣＰＵ１２は、送信結果レポート２０３を用いた再送において（図８及び図９）、画像データ１５３の１ページ目の画像のみを再送してもよい。
【００９０】
また、上記実施形態では、本願の制御装置として、所定のプログラムを実行するＣＰＵ１２を採用したが、これに限らない。例えば、制御装置を、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの専用のハードウェアで構成してもよい。また、制御装置は、例えばソフトウェアによる処理と、ハードウェアによる処理とを併用して動作する構成でもよい。
また、上記実施形態では、本願のファクシミリ装置として複合機であるＭＦＰ１を採用したが、これに限らない。本願のファクシミリ装置は、ＦＡＸ機能のみを備えた装置でもよい。
【符号の説明】
【００９１】
１  ＭＦＰ（ファクシミリ装置）、１２  ＣＰＵ（制御装置）、１３  ＲＡＭ（内部メモリ）、１６  画像形成部（印刷部）、１７  画像読取部、１８  ＦＡＸ通信部（送信部）、１９  ＵＳＢインタフェース（外部インタフェース）、２４  ネットワークインタフェース（外部インタフェース）、３１  常設メモリ（外部記憶装置）、３２  外部メモリ（外部記憶装置）、６１  ＰＣ（外部記憶装置）、６３  ファイルサーバ（外部記憶装置）、１５３  画像データ、２０１  バーコード（識別コード）、２０７  通知情報、２０３，３０３  送信結果レポート、２０６  通信情報（送信結果情報）、Ｄ１  第二画像データ。
【図１】
2018160727.tif 000003
【図２】
2018160727.tif 000004
【図３】
2018160727.tif 000005
【図４】
2018160727.tif 000006
【図５】
2018160727.tif 000007
【図６】
2018160727.tif 000008
【図７】
2018160727.tif 000009
【図８】
2018160727.tif 000010
【図９】
2018160727.tif 000011
【図１０】
2018160727.tif 000012
【図１１】
2018160727.tif 000013
【図１２】
2018160727.tif 000014